(57)【特許請求の範囲】
【請求項１】
所定の厚さを有する長方形板材からなり、上下に長く形成され、アンテナ（Ａ）の一面に固定されてアンテナ（Ａ）を支持するアンテナ固定バー（１００）と、
前記アンテナ固定バー（１００）の上下側にそれぞれ突設され、前記アンテナ固定バー（１００）の上下側に陥没した装着溝（１０８）に固定結合され、一部が前記アンテナ固定バー（１００）の前方に突出する固定ブロック（１３０）と、
板状を有し、アンテナ（Ａ）の上下側にそれぞれ取り付けられ、一面がアンテナ（Ａ）に結合され、他面がアンテナ固定バー（１００）に結合され、上下側面の中央にアンテナ結合ホール（２０２）が形成され、前記アンテナ固定バー（１００）の上下側にそれぞれ突出した前記固定ブロック（１３０）が挿入固定されるアンテナ連結ブラケット（２００）と、
前記アンテナ固定バー（１００）の後面の上端両側にそれぞれ突設され、側面に貫設される第１の固定ホール（１１２）を含む上端ブラケット（１１０）と、
前記アンテナ固定バー（１００）の後面の下端両側にそれぞれ突設され、側面に貫設される第２の固定ホール（１２０）を含む下端ブラケット（１１８）と、
前記下端ブラケット（１１８）に固定的に取り付けられ、底面に垂直に取り付けられる固定シャフト（Ｐ）に結合されて前記アンテナ固定バー（１００）を支持する固定シャフト連結部材（３００）と、
ターンバックル状を有し、一端は前記上端ブラケット（１１０）に連結され、他端は前記固定シャフト連結部材（３００）に連結され、前記アンテナ固定バー（１００）の設置角度を調節する角度調節部材（４００）と、を含む、アンテナ固定装置。
【請求項２】
前記固定シャフト連結部材（３００）は、
所定の厚さを有する板材からなり、後面に三角形状に陥没して形成される第１のシャフト装着溝（３０４）が形成され、多数の部品を支持するベースプレート（３０２）と、
前記ベースプレート（３０２）の前面両側にそれぞれ前記アンテナ固定バー（１００）側に突出し、前記下端ブラケット（１１８）の一部が収容されるブラケット挿入溝（３１２）が形成されるブラケット結合胴体（３１０）と、
前記ブラケット結合胴体（３１０）の上側に突設され、前記ベースプレート（３０２）と一体に形成され、上端にブラケット固定溝（３２２）が形成され、前記角度調節部材（４００）の末端が回動可能に結合される角度調節連結胴体（３２０）と、
前記ベースプレート（３０２）の一面の上下側にそれぞれネジ結合され、固定シャフト（Ｐ）の外周面に結合されて前記ベースプレート（３０２）を固定シャフト（Ｐ）に固定させる固定クランプ（３３０）と、を含む、請求項１に記載のアンテナ固定装置。
【請求項３】
前記ブラケット結合胴体（３１０）の末端に固定的に取り付けられ、矢印形状に形成され、前記アンテナ固定バー（１００）の角度を調節する際に、前記アンテナ固定バー（１００）の回動角度を表示する角度表示針（４１０）をさらに備え、
前記下端ブラケット（１１８）の側面には、角度計の形態を有し、前記下端ブラケット（１１８）の側面に固定して取り付けられ、前記角度表示針（４１０）の回動方向によって前記アンテナ固定バー（１００）の回動角度を表示する角度表示部（４１２）をさらに備える、請求項２に記載のアンテナ固定装置。
【請求項４】
前記固定ブロック（１３０）と装着溝（１０８）との間には、前記装着溝（１０８）の内部に取り付けられる固定ブロック（１３０）を前記装着溝（１０８）の外部に弾持する第１の間隔維持部材（１３４）をさらに備える、請求項１に記載のアンテナ固定装置。
【請求項５】
前記ベースプレート（３０２）と前記固定クランプ（３３０）との間には、前記ベースプレート（３０２）の一面に固定して取り付けられる前記固定クランプ（３３０）を前記ベースプレート（３０２）の後方側に弾持する第２の間隔維持部材（３４０）をさらに備える、請求項２に記載のアンテナ固定装置。
【発明の詳細な説明】
【技術分野】
【０００１】
本発明はアンテナ固定装置に関するもので、より詳しくはアンテナ設置角度の調節の際、下端ブラケットの側面に角度表示部及び角度表示針が取り付けられることにより、アンテナの設置角度を作業者が肉眼で正確に確認することができるだけではなく、アンテナ連結ブラケットの装着の際、第１の間隔維持部材が固定ブロックをアンテナ固定バーの前方に突出させることにより、作業者がアンテナを手軽く組み立てることができるアンテナ固定装置に関する。
【背景技術】
【０００２】
最近には、電線を介せずに電波を介して情報を交信することができる無線通信が人間の活動において重要な手段として落ち着いている。
【０００３】
通信方式の変更によって基地局のアンテナ変更が頻繁に発生している。このようなアンテナの装着方式は、建物の屋上又は柱、鉄柱などに取り付けられた固定シャフトの外周面に固定ブラケットを取り付け、ボルトで締結してアンテナを固定する方式が主に用いられている。
【０００４】
前記のような従来のアンテナ固定装置は韓国公開特許第１０−２０１５−０００９２１４号公報に開示されている。
【０００５】
従来のアンテナ固定装置は、アンテナの上部に固定結合されるアンテナ連結部材と、アンテナ連結部材とピボット方式で回動可能に連結され、側面に長手方向に形成されたガイドスロットを含む第１のスライド胴体と、第１のスライド胴体より大きく形成され、第１のスライド胴体が内部に挿入され、ガイドスロットに沿って移動するように、内側面にガイドスロットと対応するガイド軸を含む第２のスライド胴体と、第２のスライド胴体とピボット方式で回動可能に連結され、構造物に固定結合される構造物連結部材とからなる。
【０００６】
このような従来のアンテナ固定装置は、構造物にリング形の構造物連結部材がボルトで結合されることにより、前記構造物に前記アンテナが固定される方式である。
【０００７】
従来のアンテナ固定方式でアンテナを交換する場合、作業者が構造物連結部材のボルトを全て緩めてアンテナを分離しなければならないので、交換時間が長く掛かるばかりでなく、組立性が劣るという問題点がある。
【０００８】
また、構造物の外周面に構造物連結部材を結合する場合、構造物の外径より構造物連結部材の挿入ホールの大きさを大きく維持した状態で、構造物の外周面に構造物連結部材を結合しなければならないので、組立作業が面倒で煩わしいだけでなく、構造物連結部材を分離する際に構成部品の紛失が頻繁に発生するという問題点がある。
【先行技術文献】
【特許文献】
【０００９】
【特許文献１】韓国公開特許第１０−２０１５−０００９２１４号公報
【発明の概要】
【発明が解決しようとする課題】
【００１０】
したがって、本発明は前述したような従来技術の問題点を解決するためのもので、本発明の目的は、アンテナ設置角度の調節の際、下端ブラケットの側面に角度表示部及び角度表示針が取り付けられることにより、アンテナの設置角度を作業者が肉眼で正確に確認することができるだけではなく、アンテナ連結ブラケットの装着の際、第１の間隔維持部材が固定ブロックをアンテナ固定バーの前方に突出させることにより、作業者がアンテナを手軽く組み立てることができるアンテナ固定装置を提供することにある。
【課題を解決するための手段】
【００１１】
前述したような目的を達成するための本発明の特徴によれば、本発明のアンテナ固定装置は、所定の厚さを有する長方形板材からなり、上下に長く形成され、アンテナの一面に固定されてアンテナを支持するアンテナ固定バーと、前記アンテナ固定バーの上下側にそれぞれ突設され、前記アンテナ固定バーの上下側に陥没した装着溝に固定結合され、一部が前記アンテナ固定バーの前方に突出する固定ブロックと、板状を有し、アンテナの上下側にそれぞれ取り付けられ、一面がアンテナに結合され、他面がアンテナ固定バーに結合され、上下側面の中央にアンテナ結合ホールが形成され、前記アンテナ固定バーの上下側にそれぞれ突出した前記固定ブロックが挿入固定されるアンテナ連結ブラケットと、前記アンテナ固定バーの後面の上端両側にそれぞれ突設され、側面に貫設される第１の固定ホールを含む上端ブラケットと、前記アンテナ固定バーの後面の下端両側にそれぞれ突設され、側面に貫設される第２の固定ホールを含む下端ブラケットと、前記下端ブラケットに固定的に取り付けられ、底面に垂直に取り付けられる固定シャフトに結合されて前記アンテナ固定バーを支持する固定シャフト連結部材と、ターンバックル状を有し、一端は前記上端ブラケットに連結され、他端は前記固定シャフト連結部材に連結され、前記アンテナ固定バーの設置角度を調節する角度調節部材とを含む。
【００１２】
前記固定シャフト連結部材は、所定の厚さを有する板材からなり、後面に三角形状に陥没して形成される第１のシャフト装着溝が形成され、多数の部品を支持するベースプレートと、前記ベースプレートの前面両側にそれぞれ前記アンテナ固定バー側に突出し、前記下端ブラケットの一部が収容されるブラケット挿入溝が形成されるブラケット結合胴体と、前記ブラケット結合胴体の上側に突設され、前記ベースプレートと一体に形成され、上端にブラケット固定溝が形成され、前記角度調節部材の末端が回動可能に結合される角度調節連結胴体と、前記ベースプレートの一面の上下側にそれぞれネジ結合され、固定シャフトの外周面に結合されて前記ベースプレートを固定シャフトに固定させる固定クランプとを含むことができる。
【００１３】
前記アンテナ固定装置は、前記ブラケット結合胴体の末端に固定的に取り付けられ、矢印形状を有し、前記アンテナ固定バーの角度調節の際、前記アンテナ固定バーの回動角度を表示する角度表示針をさらに備えることができ、前記下端ブラケットの側面には、角度計の形態を有し、前記下端ブラケットの側面に固定的に取り付けられ、前記角度表示針の回動方向によって前記アンテナ固定バーの回動角度を表示する角度表示部をさらに備えることができる。
【００１４】
前記固定ブロックと装着溝との間には、前記装着溝の内部に取り付けられる固定ブロックを前記装着溝の外部に弾持する第１の間隔維持部材をさらに備えることができる。
【００１５】
前記ベースプレートと前記固定クランプとの間には、前記ベースプレートの一面に固定的に取り付けられる前記固定クランプを前記ベースプレートの後方側に弾持する第２の間隔維持部材をさらに備えることができる。
【発明の効果】
【００１６】
本発明によるアンテナ固定装置は次のような効果がある。
【００１７】
本発明は、アンテナの設置角度調節の際、下端ブラケットの側面に角度表示部及び角度表示針が取り付けられることにより、アンテナの設置角度を作業者が肉眼で確認することができる。
【００１８】
したがって、アンテナ設置の際、作業者が実時間でアンテナの設置角度を確認することができるので、アンテナ設置角度の調節時間を縮めることができるだけではなく、アンテナ設置作業の精密度を高めることができる効果がある。
【００１９】
また、アンテナ連結ブラケットの装着の際、第１の間隔維持部材が固定ブロックをアンテナ固定バーの前方に突出させることにより、作業者がアンテナを手軽く組み立てることができるので、アンテナの組立時間を縮めることができ、アンテナの組立作業性が向上する利点がある。
【図面の簡単な説明】
【００２０】
【図１】図１は本発明のアンテナ固定装置に中継用アンテナが装着された状態を示す斜視図である。
【図２】図２は本発明のアンテナ固定装置の好適な実施形態の構成を示す斜視図である。
【図３】図３は本発明のアンテナ固定装置の好適な実施形態の構成を示す正面図である。
【図４】図４は本発明のアンテナ固定装置の好適な実施形態の構成を示す右側面図である。
【図５】図５は本発明のアンテナ固定装置の好適な実施形態の構成を示す平面図である。
【図６】図６は本発明のアンテナ固定装置の好適な実施形態の構成を示す底面図である。
【図７】図７は本発明の実施形態を構成するアンテナ連結ブラケットの構成を示す分解斜視図である。
【図８】図８は本発明の実施形態を構成するアンテナ固定バーの構成を示す分解斜視図である。
【図９】図９は本発明の実施形態を構成する上側固定バーの構成を示す拡大斜視図である。
【図１０】図１０は本発明の実施形態を構成する下側固定バーの構成を示す拡大斜視図である。
【図１１】図１１は本発明の実施形態を構成するアンテナ連結ブラケット、固定ブロック及び第１の間隔維持部材が分解された状態を示す分解斜視図である。
【図１２】図１２は本発明の実施形態を構成するアンテナ固定バーからアンテナ連結ブラケット、固定ブロック及び第１の間隔維持部材が分解された状態を示す分解斜視図である。
【図１３】図１３は本発明の実施形態を構成するアンテナ連結ブラケット、固定ブロック及び第１の間隔維持部材が分解された状態を示す分解拡大図である。
【図１４】図１４は本発明の実施形態を構成するアンテナ固定バーにアンテナ連結ブラケットが結合された状態を示す拡大断面図である。
【図１５】図１５は本発明の実施形態を構成する固定シャフト連結部材が固定シャフトに結合された状態を示す拡大図である。
【図１６】図１６は本発明の実施形態を構成する固定シャフト連結部材の構成を示す分解斜視図である。
【図１７】図１７は本発明の実施形態を構成する固定シャフト連結部材の構成を示す分解正面図である。
【図１８】図１８は本発明の実施形態を構成する固定クランプと第２の間隔維持部材が分解された状態を示す拡大斜視図である。
【図１９】図１９は本発明の実施形態を構成する固定シャフト連結部材が固定シャフトに固定された状態を示す断面図である。
【図２０】図２０は本発明の実施形態を構成する固定シャフト連結部材が固定シャフトに固定された状態を示す平面図である。
【発明を実施するための形態】
【００２１】
以下、本発明によるアンテナ固定装置の好適な実施形態を添付図面に基づいて詳細に説明する。
【００２２】
図１は本発明のアンテナ固定装置に中継用アンテナが装着された状態を示す斜視図を示し、図２は本発明のアンテナ固定装置の好適な実施形態の構成を示す斜視図を示し、図３は本発明のアンテナ固定装置の好適な実施形態の構成を示す正面図を示し、図４は本発明のアンテナ固定装置の好適な実施形態の構成を示す右側面図を示し、図５は本発明のアンテナ固定装置の好適な実施形態の構成を示す平面図を示し、図６は本発明のアンテナ固定装置の好適な実施形態の構成を示す底面図を示し、図７は本発明の実施形態を構成するアンテナ連結ブラケットの構成を示す分解斜視図を示し、図８は本発明の実施形態を構成するアンテナ固定バーの構成を示す分解斜視図を示し、図９は本発明の実施形態を構成する上側固定バーの構成を示す拡大斜視図を示し、図１０は本発明の実施形態を構成する下側固定バーの構成を示す拡大斜視図を示し、図１１は本発明の実施形態を構成するアンテナ連結ブラケット、固定ブロック及び第１の間隔維持部材が分解された状態を示す分解斜視図を示し、図１２は本発明の実施形態を構成するアンテナ固定バーからアンテナ連結ブラケット、固定ブロック及び第１の間隔維持部材が分解された状態を示す分解斜視図を示し、図１３は本発明の実施形態を構成するアンテナ連結ブラケット、固定ブロック及び第１の間隔維持部材が分解された状態を示す分解拡大図を示し、図１４は本発明の実施形態を構成するアンテナ固定バーにアンテナ連結ブラケットが結合された状態を示す拡大断面図を示す。
【００２３】
図１〜図１４に示すように、本発明のアンテナ固定装置は、所定の厚さを有する長方形板材からなり、上下に長く形成され、アンテナＡの一面に固定され、アンテナＡを支持するアンテナ固定バー１００と、前記アンテナ固定バー１００の上下側にそれぞれ断面“Ｔ”字形に突設され、前記アンテナ固定バー１００の上下側に陥没した装着溝１０８に固定結合され、一部が前記アンテナ固定バー１００の前方に突出する固定ブロック１３０と、板状を有し、アンテナＡの上下側にそれぞれ取り付けられ、一面がアンテナＡに結合され、他面がアンテナ固定バー１００に結合され、上下側面の中央に断面“Ｔ”字形に貫通されるアンテナ結合ホール２０２が形成され、前記アンテナ固定バー１００の上下側からそれぞれ突出した前記固定ブロック１３０が挿入固定されるアンテナ連結ブラケット２００と、前記アンテナ固定バー１００の後面の上端両側にそれぞれ突設され、側面に貫設される第１の固定ホール１１２を含む上端ブラケット１１０と、前記アンテナ固定バー１００の後面の下端両側にそれぞれ突設され、側面に貫設される第２の固定ホール１２０を含む下端ブラケット１１８と、前記下端ブラケット１１８に固定的に取り付けられ、底面に垂直に取り付けられる固定シャフトＰに結合され、前記アンテナ固定バー１００を支持する固定シャフト連結部材３００と、ターンバックル状を有し、一端は前記上端ブラケット１１０に連結され、他端は前記固定シャフト連結部材３００に連結され、前記アンテナ固定バー１００の設置角度を調節する角度調節部材４００を含んでなる。
【００２４】
前記アンテナ固定バー１００は、図８に示すように、上側固定バー１０２、支持バー１０４及び下側固定バー１０６からなる。
【００２５】
前記上側固定バー１０２は所定の厚さを有する長方形の板材からなり、上下に長く形成される。前記上側固定バー１０２の前面には後述のアンテナ連結ブラケット２００が装着されて支持される。
【００２６】
前記上側固定バー１０２の前面には装着溝１０８が形成される。前記装着溝１０８は六面体状に陥没し、後述の固定ブロック１３０が装着されて固定される。
【００２７】
前記上側固定バー１０２の後面には上端ブラケット１１０が取り付けられる。前記上端ブラケット１１０は所定の厚さを有する板材からなり、前記上側固定バー１０２の両側にそれぞれ垂直に突設される。前記上端ブラケット１１０の間には後述の角度調節部材４００の一端が固定されて回動可能に支持される。
【００２８】
前記上端ブラケット１１０の側面には第１の固定ホール１１２が形成される。前記第１の固定ホール１１２は前記上端ブラケット１１０の側面に円形に貫設され、これに後述の第１の固定軸４０２が挿入固定される。
【００２９】
前記上側固定バー１０２の下面には第１の固定リブ１１４が突設される。前記第１の固定リブ１１４は直方体状を有し、前記上側固定バー１０２の下面両側にそれぞれ下方に突設される。前記第１の固定リブ１１４は後述の支持バー１０４の固定リブ挿入ホール１１６に結合され、後述の支持バー１０４に前記上側固定バー１０２を固定させる役割を果たす。
【００３０】
前記上側固定バー１０２の下部には支持バー１０４が取り付けられる。前記支持バー１０４は内部が中空の四角フレームからなり、上下に長く形成される。前記支持バー１０４の内部は固定リブ挿入ホール１１６の上下に貫設される。前記支持バー１０４の上下側にはそれぞれ上側固定バー１０２と後述の下側固定バー１０６がそれぞれ結合されて支持される。
【００３１】
前記支持バー１０４の下部には下側固定バー１０６が取り付けられる。前記下側固定バー１０６は所定の厚さを有する長方形の板材からなり、上下に長く形成される。前記下側固定バー１０６の前面には後述のアンテナ連結ブラケット２００が装着されて支持される。
【００３２】
前記下側固定バー１０６の前面には装着溝１０８が形成される。前記装着溝１０８は六面体状に陥没し、これに後述の固定ブロック１３０が装着されて固定される。
【００３３】
前記下側固定バー１０６の後面には下端ブラケット１１８が取り付けられる。前記下端ブラケット１１８は所定の厚さを有する板材からなり、前記下側固定バー１０６の両側にそれぞれ垂直に突設される。前記下端ブラケット１１８の間には後述の角度調節部材４００の他端が固定されて回動可能に支持される。
【００３４】
前記下端ブラケット１１８の側面には第２の固定ホール１２０が形成される。前記第２の固定ホール１２０は前記下端ブラケット１１８の側面に円形に貫設され、これに後述の第２の固定軸３１５が挿入されて固定される。
【００３５】
前記下側固定バー１０６の上面には第２の固定リブ１２２が突設される。前記第２の固定リブ１２２は直方体状を有し、前記下側固定バー１０６の上面両側にそれぞれ上方に突設される。前記第２の固定リブ１２２は後述の支持バー１０４の固定リブ挿入ホール１１６に結合され、後述の支持バー１０４に前記下側固定バー１０６を固定させる役割を果たす。
【００３６】
前記下側固定バー１０６の下端には停止突起１２４が突設される。前記停止突起１２４は前記下側固定バー１０６の前方に突設される。前記停止突起１２４は、後述のアンテナ連結ブラケット２００のスライド結合の際、後述のアンテナ連結ブラケット２００の下端にかかって前記アンテナ連結ブラケット２００の離脱を防止する。
【００３７】
前記上下側固定バー１０６の装着溝１０８の内部には固定ブロック１３０が取り付けられる。前記固定ブロック１３０は、図１２に示すように、断面“Ｔ”字形のブロック形状を有し、上下に長く形成される。前記固定ブロック１３０は、前記上下側固定バー１０６の装着溝１０８の内部に一部が挿入された状態で固定ボルト１３１のネジ結合によって前記上下側固定バー１０６に堅固に固定結合される。
【００３８】
前記固定ブロック１３０の後面の上下側には第１の結合溝１３２が形成される。前記第１の結合溝１３２は前記固定ブロック１３０の後面の上下側に、それぞれ円筒状を有し、所定の深さだけ陥没して形成される。前記第１の結合溝１３２の内部には後述の第１の間隔維持部材１３４の末端が挿入されて固定される。
【００３９】
前記装着溝１０８の内部には第１の間隔維持部材１３４が設けられる。前記第１の間隔維持部材１３４は半円形リング形状を有し、前記固定ブロック１３０の後面の左右側にそれぞれ設けられる。前記第１の間隔維持部材１３４の両端は互いに異なる第１の結合溝１３２に挿入され、前記固定ブロック１３０が前記装着溝１０８に結合されるとき、前記装着溝１０８の内面に密着した状態で結合される。
【００４０】
前記第１の間隔維持部材１３４は前記固定ブロック１３０を前記装着溝１０８の外側に弾持する役割を果たす。
【００４１】
すなわち、前記固定ブロック１３０に後述のアンテナ連結ブラケット２００が装着される場合、前記固定ブロック１３０に固定ボルト１３１が装着された状態で前記第１の間隔維持部材１３４が前記固定ブロック１３０を前記装着溝１０８の外側に突出させるので、前記固定ブロック１３０に後述のアンテナ連結ブラケット２００を手軽く組み立てることができる。
【００４２】
前記固定ブロック１３０の外側にはアンテナ連結ブラケット２００が取り付けられる。前記アンテナ連結ブラケット２００は、図７に示すように、所定の厚さを有する四角形板材からなり、アンテナＡの後面の上下側にそれぞれ固定結合される。前記アンテナ連結ブラケット２００の後面には断面“Ｔ”字形のアンテナ結合ホール２０２が上下に貫設される。前記アンテナ結合ホール２０２の内部には前記固定ブロック１３０がスライド結合され、前記アンテナ固定バー１００に固定される。
【００４３】
すなわち、前記アンテナ連結ブラケット２００はアンテナＡの後面の上下側にそれぞれ固定結合された状態で、前記アンテナ固定バー１００の上下側に取り付けられた前記固定ブロック１３０が前記アンテナ結合ホール２０２にスライド結合されることにより、前記アンテナ固定バー１００に手軽く固定されることができる。
【００４４】
前記アンテナ連結ブラケット２００の前面には絶縁板結合孔２０４が形成される。前記絶縁板結合孔２０４は円筒状を有し、前記アンテナ連結ブラケット２００の前面に前後に貫設される。前記絶縁板結合孔２０４は前記アンテナ連結ブラケット２００の縁部に沿って４個が貫設される。前記絶縁板結合孔２０４の内部には後述の絶縁板固定ピン２１０が貫通して突出する。
【００４５】
前記アンテナ連結ブラケット２００の前面には絶縁板２０６が取り付けられる。前記絶縁板２０６はエポキシ又はガラスファイバー素材からなり、四角板状に形成される。前記絶縁板２０６としては、エポキシ又はガラスファイバーの他にも絶縁可能な多様な素材が使われることができる。
【００４６】
前記絶縁板２０６は前記アンテナ連結ブラケット２００の前面に取り付けられてアンテナＡと密着して結合する。前記絶縁板２０６は前記アンテナ連結ブラケット２００を介して伝達される電気を遮断する役割を果たす。
【００４７】
前記絶縁板２０６の前面には固定ピン挿入孔２０８が取り付けられる。前記固定ピン挿入孔２０８は円筒状を有し、前記絶縁板２０６の前面に前後に貫設される。前記固定ピン挿入孔２０８は前記絶縁板結合孔２０４と同軸線上に貫設される。前記固定ピン挿入孔２０８の内部には後述の絶縁板固定ピン２１０が結合されることにより、前記アンテナ連結ブラケット２００に前記絶縁板２０６が堅固に固定される。
【００４８】
前記絶縁板結合孔２０４と前記固定ピン挿入孔２０８の内部には絶縁板固定ピン２１０が結合される。前記絶縁板固定ピン２１０は一般的なピン（ｐｉｎ）形状を有し、前記絶縁板結合孔２０４と前記固定ピン挿入孔２０８の内部に結合されることにより、前記アンテナ連結ブラケット２００に前記絶縁板２０６を固定させる役割を果たす。
【００４９】
前記絶縁板固定ピン２１０の外周面には結合突起２１１が形成される。前記結合突起２１１は、図７に示すように、前記絶縁板固定ピン２１０の外周面に放射状に所定の高さだけ突設される。前記結合突起２１１は前記絶縁板固定ピン２１０の外周面に沿って前後に長く突設され、前記絶縁板固定ピン２１０の周面に沿って一定間隔で突設される。
【００５０】
前記結合突起２１１は前記絶縁板結合孔２０４と前記固定ピン挿入孔２０８に強制で押し込まれることにより、前記アンテナ連結ブラケット２００に前記絶縁板２０６が堅固に固定される。
【００５１】
図１５は本発明の実施形態を構成する固定シャフト連結部材が固定シャフトに結合された状態を示す拡大図を示し、図１６は本発明の実施形態を構成する固定シャフト連結部材の構成を示す分解斜視図を示し、図１７は本発明の実施形態を構成する固定シャフト連結部材の構成を示す分解正面図を示し、図１８は本発明の実施形態を構成する固定クランプと第２の間隔維持部材が分解された状態を示す拡大斜視図を示し、図１９は本発明の実施形態を構成する固定シャフト連結部材が固定シャフトに固定された状態を示す断面図を示し、図２０は本発明の実施形態を構成する固定シャフト連結部材が固定シャフトに固定された状態を示す平面図を示す。
【００５２】
図１５〜図２０に示すように、一対の前記下端ブラケット１１８の間には固定シャフト連結部材３００が取り付けられる。前記固定シャフト連結部材３００は、所定の厚さを有する板材からなり、後面に三角形状に陥没して形成される第１のシャフト装着溝３０４が形成され、多数の部品を支持するベースプレート３０２と、前記ベースプレート３０２の前面両側にそれぞれ前記アンテナ固定バー１００側に突出し、前記下端ブラケット１１８の一部が収容されるブラケット挿入溝３１２が形成されるブラケット結合胴体３１０と、前記ブラケット結合胴体３１０の上側に突設され、前記ベースプレート３０２と一体に形成され、上端にブラケット固定溝３２２が形成され、前記角度調節部材４００の末端が回動可能に結合される角度調節連結胴体３２０と、前記ベースプレート３０２の一面の上下側にそれぞれネジ結合され、固定シャフトＰの外周面に結合されて前記ベースプレート３０２を固定シャフトＰに固定させる固定クランプ３３０とからなる。
【００５３】
前記ベースプレート３０２は所定の厚さを有する長方形板材からなり、上下に長く形成される。前記ベースプレート３０２の後面中央には三角形状に陥没した第１のシャフト装着溝３０４が形成される。前記第１のシャフト装着溝３０４の内部には固定シャフトＰの外周面が結合されて固定される。
【００５４】
前記ベースプレート３０２は固定シャフトＰに結合され、固定シャフトＰに多数の部品を固定させる役割を果たす。
【００５５】
前記ベースプレート３０２の前面の上下側にはボルト締結ホール３０６が形成される。前記ボルト締結ホール３０６は円筒状を有し、前記ベースプレート３０２の上下側にそれぞれ前後に貫設される。前記ボルト締結ホール３０６の内部にはクランプ締結ボルト３３４が結合されて固定される。
【００５６】
前記ベースプレート３０２の前面にはブラケット結合胴体３１０が突設される。前記ブラケット結合胴体３１０は直方体状を有し、前記ベースプレート３０２の前面下側に前方に突設される。前記ブラケット結合胴体３１０には前記下端ブラケット１１８が回動可能に結合され、前記下端ブラケット１１８を回動可能に支持する役割を果たす。
【００５７】
前記ブラケット結合胴体３１０の前面にはブラケット挿入溝３１２が形成される。前記ブラケット挿入溝３１２は下端ブラケット１１８の厚さと同じ幅を有するように陥没して形成される。前記ブラケット挿入溝３１２の内部には前記下端ブラケット１１８が結合される。
【００５８】
前記ブラケット結合胴体３１０の側面前方側には第２の固定軸挿入ホール３１４が形成される。前記第２の固定軸挿入ホール３１４は前記ブラケット結合胴体３１０の側面に左右に貫設される。前記第２の固定軸挿入ホール３１４は前記第２の固定ホール１２０と同軸線上に形成され、内部に第２の固定軸３１５が貫通して挿入され、前記下端ブラケット１１８に前記ブラケット結合胴体３１０が回動可能に固定結合される。
【００５９】
前記ブラケット結合胴体３１０の上面には角度調節連結胴体３２０が形成される。前記角度調節連結胴体３２０は直方体状を有し、前記ベースプレート３０２の前面中央に垂直に突設される。前記角度調節連結胴体３２０の上面には後述の角度調節部材４００が結合される。前記角度調節連結胴体３２０の後面は前記ベースプレート３０２と連結され、下面は前記ブラケット結合胴体３１０と連結され、前記ベースプレート３０２と前記ブラケット結合胴体３１０に後述の角度調節部材４００を連結する役割を果たす。
【００６０】
前記角度調節連結胴体３２０の上面にはブラケット固定溝３２２が形成される。前記ブラケット固定溝３２２は直方体状に陥没して形成される。前記ブラケット固定溝３２２の内部には後述の角度調節部材４００の末端が結合される。
【００６１】
前記角度調節連結胴体３２０の側面上側には回動ホール３２４が形成される。前記回動ホール３２４は前記角度調節連結胴体３２０の側面上側に左右に貫設される。前記回動ホール３２４の内部には後述の回動軸４０４が挿入されて固定される。
【００６２】
前記ベースプレート３０２の後面上下側には固定クランプ３３０が取り付けられる。前記固定クランプ３３０は、図１６に示すように、断面“凸”字形のブロック形状を有し、前面に固定シャフトＰの外周面が結合される三角形状に陥没した第２のシャフト装着溝３３１が形成される。
【００６３】
前記固定クランプ３３０は前記ベースプレート３０２の後面上下側にそれぞれ結合されて固定シャフトＰの外周面に密着し、前記ベースプレート３０２に固定シャフトＰを固定させる役割を果たす。
【００６４】
前記固定クランプ３３０の前面両側にはそれぞれボルト貫通ホール３３２が形成される。前記ボルト貫通ホール３３２は円筒状に貫設され、内部にクランプ締結ボルト３３４が貫通して取り付けられる。
【００６５】
前記ボルト貫通ホール３３２は前記ベースプレート３０２のボルト締結ホール３０６と同軸線上に位置し、前記クランプ締結ボルト３３４が貫通して挿入されることにより、前記ベースプレート３０２に前記固定クランプ３３０が堅固に固定される。
【００６６】
すなわち、前記ベースプレート３０２の第１のシャフト装着溝３０４に固定シャフトＰが密着した状態で前記ベースプレート３０２の後面上下側にそれぞれ前記固定クランプ３３０がボルト結合されることにより、固定シャフトＰに前記ベースプレート３０２が堅固に固定される。
【００６７】
前記固定クランプ３３０は、前面左右側端に固定突起３３６が突設される。前記固定突起３３６は前記固定クランプ３３０の前面左右側端に前記ベースプレート３０２側に突出し、前記ベースプレート３０２の後面両側にそれぞれ密着して結合される。前記固定突起３３６は前記固定クランプ３３０を前記ベースプレート３０２と所定間隔で離隔させる役割を果たす。
【００６８】
前記固定突起３３６の前面には第２の結合溝３３８が形成される。前記第２の結合溝３３８は前記固定突起３３６の上下側にそれぞれ円筒状に陥没して形成される。前記第２の結合溝３３８の内部には後述の第２の間隔維持部材３４０の末端が挿入されて固定される。
【００６９】
前記固定突起３３６と前記ベースプレート３０２との間には第２の間隔維持部材３４０が取り付けられる。前記第２の間隔維持部材３４０は半円形リング形状を有し、前記固定突起３３６の前方にそれぞれ取り付けられる。前記第２の間隔維持部材３４０の両端は互いに異なる第２の結合溝３３８に挿入され、前記ベースプレート３０２に前記固定クランプ３３０が装着される場合、前記ベースプレート３０２の後面に密着した状態で結合される。
【００７０】
前記第２の間隔維持部材３４０は前記固定クランプ３３０を前記ベースプレート３０２の後方側に弾持する役割を果たす。
【００７１】
すなわち、前記ベースプレート３０２と前記固定クランプ３３０との間に固定シャフトＰが装着される場合、前記ベースプレート３０２と前記固定クランプ３３０にクランプ締結ボルト３３４が装着された状態で前記第２の間隔維持部材３４０が前記固定クランプ３３０を前記ベースプレート３０２の後方側に離隔させ、固定シャフトＰの挿入空間を拡張させるので、前記固定シャフトＰに前記ベースプレート３０２と前記固定クランプ３３０を固定する作業を手軽く行うことができる。
【００７２】
前記角度調節連結胴体３２０のブラケット固定溝３２２の内部には角度調節部材４００が設けられる。前記角度調節部材４００は一般的なターンバックル（ｔｕｒｎｂｕｃｋｌｅ）であり、その詳細な説明は省略する。前記角度調節部材４００の一端は前記上端ブラケット１１０に結合され、他端は前記ブラケット固定溝３２２に挿入される。
【００７３】
前記角度調節部材４００の上端には第１の固定軸４０２が貫通して挿入されることにより、前記上端ブラケット１１０に回動可能に固定される。前記角度調節部材４００の下端には回動軸４０４が貫通して挿入されることにより、前記回動軸４０４を基準に回動可能に固定される。
【００７４】
すなわち、前記角度調節部材４００は両端がそれぞれ前記アンテナ固定バー１００と前記角度調節連結胴体３２０に固定された状態で、作業者が前記アンテナ固定バー１００の角度を調節する場合、前記角度調節部材４００を回転させて前記角度調節部材４００の長さを延ばすか又は縮めることにより、前記アンテナ固定バー１００の角度を調節することができる。
【００７５】
前記ブラケット結合胴体３１０の前面末端には角度表示針４１０が取り付けられる。前記角度表示針４１０は一般的な角度表示針であり、その詳細な説明は省略する。前記角度表示針４１０は前記ブラケット結合胴体３１０の末端に固定的に取り付けられ、矢印状に形成され、前記ブラケット結合胴体３１０に装着された前記アンテナ固定バー１００が回動する場合、前記アンテナ固定バー１００の回動角度を表示する役割を果たす。
【００７６】
前記下端ブラケット１１８の側面には角度表示部４１２が取り付けられる。前記角度表示部４１２は一般的な角度計であり、その詳細な説明は省略する。前記角度表示部４１２は前記下端ブラケット１１８の側面に取り付けられ、前記ブラケット結合胴体３１０の第２の固定軸３１５を基準に前記アンテナ固定バー１００が回動する場合、前記アンテナ固定バー１００の回動角度を表示する役割を果たす。
【００７７】
以下、前記のような構成を有する本発明のアンテナ固定装置の作用について、図１〜図２０を参照して詳細に説明する。
【００７８】
まず、作業者は固定シャフトＰの外周面に固定シャフト連結部材３００を取り付ける。
【００７９】
作業者は、ベースプレート３０２と固定クランプ３３０との間に固定シャフトＰの外周面を位置させた状態で、前記ベースプレート３０２の上下側に結合される固定クランプ３３０のクランプ締結ボルト３３４を回転させることにより、前記ベースプレート３０２の第１のシャフト装着溝３０４と前記固定クランプ３３０の第２のシャフト装着溝３３１に固定シャフトＰを堅固に固定する。
【００８０】
前記のような過程によって固定シャフトＰに前記固定シャフト連結部材３００が堅固に固定された状態で、作業者は、アンテナ固定バー１００にアンテナＡを固定するアンテナ固定作業を実施する。
【００８１】
アンテナ固定作業は、アンテナＡの後面上下側にそれぞれアンテナ連結ブラケット２００を固定的に取り付ける。
【００８２】
前記アンテナＡの後面上下側へのアンテナ連結ブラケット２００の固定が完了すれば、作業者は、アンテナＡの後面に前記アンテナ連結ブラケット２００が装着された状態で、アンテナ固定バー１００の固定ブロック１３０に前記アンテナ連結ブラケット２００を上側から下側への方向にスライド結合する。
【００８３】
前記アンテナ連結ブラケット２００と前記アンテナ固定バー１００のスライド結合動作により、前記アンテナ固定バー１００の固定ブロック１３０が前記アンテナ連結ブラケット２００のアンテナ結合ホール２０２に挿入され、前記アンテナ固定バー１００にアンテナＡが固定結合される。
【００８４】
前記固定ブロック１３０への前記アンテナ連結ブラケット２００の結合が完了すれば、作業者は、前記固定ブロック１３０に装着された固定ボルト１３１を回転させることにより、前記アンテナ固定バー１００にアンテナ連結ブラケット２００を堅固に固定する。
【００８５】
前記アンテナ固定バー１００へのアンテナＡの固定が完了すれば、作業者は、必要によってアンテナＡの設置角度を調節する。
【００８６】
前記アンテナＡの設置角度の調節は、作業者が角度調節部材４００を正逆回転させて前記角度調節部材４００を延ばすか縮めることにより、ブラケット結合胴体３１０に回動可能に結合された前記アンテナ固定バー１００が回動してアンテナＡの設置角度が調節される。
【００８７】
また、前記アンテナＡの設置角度の調節の際、下端ブラケット１１８に角度表示部４１２が取り付けられているので、前記アンテナ固定バー１００の回動角度を作業者が肉眼で確認することができる。
【００８８】
このような本発明の範囲は前述した実施形態に限定されず、当該技術分野の通常の技術者は前記のような技術範囲内で本発明に基づいて多くの多様な変形が可能であろう。
【符号の説明】
【００８９】
１００    アンテナ固定バー
１３０    固定ブロック
１３４    第１の間隔維持部材
２００    アンテナ連結ブラケット
２０２    アンテナ結合ホール
２０６    絶縁板
３００    固定シャフト連結部材
３０２    ベースプレート
３１０    ブラケット結合胴体
３２０    角度調節連結胴体
３３０    固定クランプ
３４０    第２の間隔維持部材
【要約】
【課題】アンテナ設置角度の調節の際、下端ブラケットの側面に角度表示部及び角度表示針が取り付けられることにより、アンテナの設置角度を作業者が肉眼で正確に確認することができるだけではなく、アンテナ連結ブラケットの装着の際、第１の間隔維持部材が固定ブロックをアンテナ固定バーの前方に突出させることにより、作業者がアンテナを手軽く組み立てることができるアンテナ固定装置を提供する。
【解決手段】所定の厚さを有する長方形板材からなり、上下に長く形成され、アンテナ（Ａ）の一面に固定されてアンテナ（Ａ）を支持するアンテナ固定バー（１００）と、前記アンテナ固定バー（１００）の上下側にそれぞれ突設され、前記アンテナ固定バー（１００）の上下側に陥没した装着溝（１０８）に固定結合され、一部が前記アンテナ固定バー（１００）の前方に突出する固定ブロック（１３０）と、板状を有し、アンテナ（Ａ）の上下側にそれぞれ取り付けられ、一面がアンテナ（Ａ）に結合され、他面がアンテナ固定バー（１００）に結合され、上下側面の中央にアンテナ結合ホール（２０２）が形成され、前記アンテナ固定バー（１００）の上下側にそれぞれ突出した前記固定ブロック（１３０）が挿入固定されるアンテナ連結ブラケット（２００）と、前記アンテナ固定バー（１００）の後面の上端両側にそれぞれ突設され、側面に貫設される第１の固定ホール（１１２）を含む上端ブラケット（１１０）と、前記アンテナ固定バー（１００）の後面の下端両側にそれぞれ突設され、側面に貫設される第２の固定ホール（１２０）を含む下端ブラケット（１１８）と、前記下端ブラケット（１１８）に固定的に取り付けられ、底面に垂直に取り付けられる固定シャフト（Ｐ）に結合されて前記アンテナ固定バー（１００）を支持する固定シャフト連結部材（３００）と、ターンバックル状を有し、一端は前記上端ブラケット（１１０）に連結され、他端は前記固定シャフト連結部材（３００）に連結され、前記アンテナ固定バー（１００）の設置角度を調節する角度調節部材（４００）とを含む。
【選択図】  図１【図１】
0006743317.tif 000002
【図２】
0006743317.tif 000003
【図３】
0006743317.tif 000004
【図４】
0006743317.tif 000005
【図５】
0006743317.tif 000006
【図６】
0006743317.tif 000007
【図７】
0006743317.tif 000008
【図８】
0006743317.tif 000009
【図９】
0006743317.tif 000010
【図１０】
0006743317.tif 000011
【図１１】
0006743317.tif 000012
【図１２】
0006743317.tif 000013
【図１３】
0006743317.tif 000014
【図１４】
0006743317.tif 000015
【図１５】
0006743317.tif 000016
【図１６】
0006743317.tif 000017
【図１７】
0006743317.tif 000018
【図１８】
0006743317.tif 000019
【図１９】
0006743317.tif 000020
【図２０】
0006743317.tif 000021